(57)【要約】【課題】硬貨収容庫の着脱性を向上させることにある。【解決手段】着脱部に着脱可能な硬貨収容庫は、硬貨の収容空間を囲む複数の壁部を備え、前記複数の壁部は、樹脂で形成された樹脂壁部と、金属で形成された金属壁部とで構成され、前記金属壁部には、取っ手部が設けられている。前記取っ手部は、前記硬貨収容庫の上部に設けられている。前記上部には、前記硬貨が通過可能な開口が形成され、前記取っ手部は、前記開口に隣接している。【選択図】図５
2015125517.tif 000002
【特許請求の範囲】
【請求項１】
着脱部に着脱可能な硬貨収容庫であって、
硬貨の収容空間を囲む複数の壁部を備え、
前記複数の壁部は、樹脂で形成された樹脂壁部と、金属で形成された金属壁部とで構成され、
前記金属壁部には、取っ手部が設けられている、硬貨収容庫。
【請求項２】
請求項１に記載の硬貨収容庫において、
前記取っ手部は、前記硬貨収容庫の上部に設けられている、硬貨収容庫。
【請求項３】
請求項２に記載の硬貨収容庫において、
前記上部には、前記硬貨が通過可能な開口が形成され、
前記取っ手部は、前記開口に隣接する、硬貨収容庫。
【請求項４】
請求項１〜３のいずれか１項に記載の硬貨収容庫において、
前記金属壁部は、板金で形成されており、
前記取っ手部は、前記板金を曲げて形成されている、硬貨収容庫。
【請求項５】
請求項１〜４のいずれか１項に記載の硬貨収容庫において、
前記樹脂壁部は、透明な樹脂で形成されている、硬貨収容庫。
【請求項６】
請求項１〜５のいずれか１項に記載の硬貨収容庫において、
前記着脱部は、前記硬貨収容庫が装着された状態で所定の移動方向に移動可能であり、
前記金属壁部には、前記移動方向において前記樹脂壁部よりも突出するように形成された突出部が設けられている、硬貨収容庫。
【請求項７】
請求項６に記載の硬貨収容庫において、
前記突出部は、前記取っ手部から延出するように形成されている、硬貨収容庫。
【請求項８】
請求項１〜７のいずれか１項に記載の硬貨収容庫において、
前記金属壁部の前記収容空間に臨む面には、凸部が形成されている、硬貨収容庫。
【請求項９】
着脱部と、
前記着脱部に着脱可能な硬貨収容庫と、
を有する硬貨処理装置であって、
前記硬貨収容庫は、硬貨の収容空間を囲む複数の壁部を備え、
前記複数の壁部は、樹脂で形成された樹脂壁部と、金属で形成された金属壁部とで構成され、
前記金属壁部には、取っ手部が設けられている、硬貨処理装置。
【発明の詳細な説明】
【技術分野】
【０００１】
本発明は、硬貨収容庫、及び硬貨処理装置に関する。
【背景技術】
【０００２】
近年、店舗等に設置されたレジスターの硬貨を管理する硬貨処理装置が利用されている。硬貨処理装置は、レジスターの係員が投入した硬貨を金種別の硬貨収容庫に入金する入金処理と、硬貨収容庫の硬貨をレジスターの釣銭準備金として出金する出金処理とを行う（特許文献１参照）。
【０００３】
ところで、硬貨収容庫からの硬貨の出金の際や搬送中に、硬貨のジャムが発生することがある。硬貨処理装置においては、ジャムとなった硬貨の除去のために、着脱部に装着された硬貨収容庫が取り外し可能な構成となっている。
【先行技術文献】
【特許文献】
【０００４】
【特許文献１】特開２０１３−６９１３３号公報
【発明の概要】
【発明が解決しようとする課題】
【０００５】
上記の硬貨収容庫は、入金された硬貨を収容する収容部と、出金の際に硬貨を繰り出す繰り出し部とを有する。繰り出し部は、例えば、硬貨を１枚ずつ繰り出す回転ディスクと、回転ディスクを回転させる駆動モータとを含む。このような繰り出し部を有する硬貨収容庫は形状が複雑になるため、硬貨収容庫を着脱部に対して着脱し難いという問題が発生している。
【０００６】
そこで、本発明は、上記問題に鑑みてなされたものであり、本発明の目的とするところは、硬貨収容庫の着脱性を向上させることにある。
【課題を解決するための手段】
【０００７】
上記課題を解決するために、本発明のある観点によれば、着脱部に着脱可能な硬貨収容庫であって、硬貨の収容空間を囲む複数の壁部を備え、前記複数の壁部は、樹脂で形成された樹脂壁部と、金属で形成された金属壁部とで構成され、前記金属壁部には、取っ手部が設けられている、硬貨収容庫が提供される。
【０００８】
かかる硬貨収容庫によれば、硬貨の収容空間を囲む複数の壁部は、樹脂で形成された樹脂壁部と、金属で形成された金属壁部とで構成されている。そして、金属壁部には、取っ手部が設けられている。かかる場合には、硬貨収容庫の形状が複雑であっても、金属の取っ手部で硬貨収容庫を把持することで、硬貨収容庫の着脱の際に着脱部に対する硬貨収容庫の位置を調整しやすい。このため、硬貨収容庫の着脱部に対する着脱性を向上させることが可能となる。
【０００９】
また、上記の硬貨収容庫において、前記取っ手部は、前記硬貨収容庫の上部に設けられても良い。
【００１０】
また、上記の硬貨収容庫において、前記上部には、前記硬貨が通過可能な開口が形成され、前記取っ手部は、前記開口に隣接しても良い。
【００１１】
また、上記の硬貨収容庫において、前記金属壁部は、板金で形成されており、前記取っ手部は、前記板金を曲げて形成されても良い。
【００１２】
また、上記の硬貨収容庫において、前記樹脂壁部は、透明な樹脂で形成されていても良い。
【００１３】
また、前記着脱部は、前記硬貨収容庫が装着された状態で所定の移動方向に移動可能であり、前記金属壁部には、前記移動方向において前記樹脂壁部よりも突出するように形成された突出部が設けられていても良い。
【００１４】
また、上記の硬貨収容庫において、前記突出部は、前記取っ手部から延出するように形成されても良い。
【００１５】
また、上記の硬貨収容庫において、前記金属壁部の前記収容空間に臨む面には、凸部が形成されても良い。
【００１６】
上記課題を解決するために、本発明の別の観点によれば、着脱部と、前記着脱部に着脱可能な硬貨収容庫と、を有する硬貨処理装置であって、前記硬貨収容庫は、硬貨の収容空間を囲む複数の壁部を備え、前記複数の壁部は、樹脂で形成された樹脂壁部と、金属で形成された金属壁部とで構成され、前記金属壁部には、取っ手部が設けられている、硬貨処理装置が提供される。
【発明の効果】
【００１７】
以上説明したように本発明によれば、硬貨収容庫の着脱性を向上させることが可能となる。
【図面の簡単な説明】
【００１８】
【図１】本発明の第１の実施形態に係る硬貨処理装置１の内部構成の一例を示す概略図である。
【図２】第１の実施形態に係る金種別ホッパ３６ａ〜３６ｆが装着された着脱部３８を示す斜視図である。
【図３】第１の実施形態に係る金種別ホッパ３６の構成の一例を示す図である。
【図４】図３のＡ−Ａ矢視図である。
【図５】金種別ホッパ３６の外観構成の一例を示す斜視図である。
【図６】第１の実施形態に係る金属側壁２８４の断面図である。
【図７】金種別ホッパ３６の着脱の際に、使用者が金種別ホッパ３６を把持している状態を示す図である。
【図８】変形例に係る金属側壁３８４の構成の一例を示す模式図である。
【図９】第２の実施形態に係る金種別ホッパ３６の構成の一例を示す斜視図である。
【図１０】図９の部分Ｂを拡大した図である。
【図１１】金種別ホッパ３６ｄが着脱部３８から飛び出た状態で、着脱部３８を筐体３へ挿入した際の状態を示す図である。
【図１２】第３の実施形態に係る金種別ホッパ３６の構成の一例を示す図である。
【図１３】図１２のＣ−Ｃ断面図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
＜１．第１の実施形態＞
（１−１．硬貨処理装置の構成）
図１を参照しながら、本発明の第１の実施形態に係る硬貨処理装置１の構成の一例について説明する。
【００２１】
図１は、第１の実施形態に係る硬貨処理装置１の内部構成の一例を示す概略図である。なお、図１（ａ）は硬貨処理装置１を正面側から見た図であり、図１（ｂ）は硬貨処理装置１を右側面側から見た図である。
【００２２】
硬貨処理装置１は、店舗等に設置されたレジスターで取り扱われる硬貨を管理する。例えば、硬貨処理装置１は、店舗の係員等（使用者）がレジスターから運んできた硬貨の入金処理や計数処理を行う。また、硬貨処理装置１は、レジスターで使用する釣銭準備金としての硬貨の出金や両替等での硬貨の出金処理を行う。
【００２３】
図１に示すように、第１の実施形態に係る硬貨処理装置１は、硬貨受領部１０と、硬貨繰り出し部１２と、硬貨認識部１４と、選別搬送部２０と、リジェクト硬貨収容部２６と、硬貨収容庫の一例である金種別ホッパ３６と、出金一時保留部４２と、出金箱５０と、リジェクト庫５４と、制御ユニット９０とを有する。
【００２４】
硬貨受領部１０は、投入される硬貨Ｃを受ける部分である。硬貨受領部１０は、硬貨処理装置１の上方、かつ前面側に位置する。硬貨受領部１０は、硬貨が投入される投入口１１を有する。投入口１１は、硬貨を一括して投入し易いように、広く開口している。硬貨受領部１０に投入された硬貨は、硬貨繰り出し部１２に落下する。
【００２５】
硬貨繰り出し部１２は、硬貨受領部１０の下方に位置し、硬貨受領部１０から落下した硬貨を一枚ずつ繰り出す。硬貨繰り出し部１２内には、例えば回転円盤（不図示）が設けられている。硬貨繰り出し部１２内の硬貨は、回転円盤が回転する際の遠心力により移動して、一枚ずつ硬貨認識部１４へ繰り出される。
【００２６】
硬貨認識部１４は、硬貨繰り出し部１２から繰り出された硬貨の真偽、金種等の判別を行う。硬貨認識部１４は、硬貨を認識するセンサを有し、センサで検出した硬貨の特徴に基づいて、硬貨の真偽、金種等を判別する。硬貨認識部１４は、判別した硬貨を選別搬送路２０に搬送する。
【００２７】
選別搬送部２０は、硬貨認識部１４による判別結果に基づいて、硬貨を選別して搬送する。選別搬送部２０は、リジェクト口２１と、金種別排出口２２ａ〜２２ｆとを有する。硬貨認識部１４において真貨で無いと判別された硬貨は、リジェクト口２１を通過する。真貨であると判別された硬貨は、金種別排出口２２ａ〜２２ｆを通過する。
【００２８】
リジェクト硬貨収容部２６は、リジェクト口２１を通過した硬貨を収容する。リジェクト口２１の下方には、リジェクト口２１を通過した硬貨をリジェクト硬貨収容部２６へ導くリジェクトシュートが配置（図１に示す矢印Ｒのルートで配置）されている。リジェクト硬貨収容部２６は、硬貨処理装置１の前面に開閉可能な扉２８を有する。扉２８が開いた際に、操作者はリジェクト硬貨収容部２６を装置外へ引き出し可能である。
【００２９】
金種別ホッパ３６は、金種別排出口２２ａ〜２２ｆから排出された硬貨を、金種別に収容する。金種別ホッパ３６として、図１（ｂ）に示すように、金種別排出口２２ａ〜２２ｆに対応するように直線状に並べられた複数の金種別ホッパ３６ａ〜３６ｆが設けられている。金種別ホッパ３６ａ〜３６ｆは、それぞれ、５００円、１００円、５０円、１０円、５円、及び１円硬貨のいずれかの１種類の硬貨を収容する。また、金種別ホッパ３６ａ〜３６ｆは、それぞれ硬貨を一枚ずつ繰り出す繰り出し部を有する。
【００３０】
金種別ホッパ３６ａ〜３６ｆは、図２に示す着脱部３８に対して着脱可能に装着されている。本実施形態では、６つの金種別ホッパ３６ａ〜３６ｆが、一つの着脱部３８に装着される構成となっている。ただし、これに限定されず、例えば金種別ホッパ３６ａ〜３６ｆが、各々の着脱部に装着される構成であっても良い。
【００３１】
図２は、第１の実施形態に係る金種別ホッパ３６ａ〜３６ｆが装着された着脱部３８を示す斜視図である。なお、図２では、着脱部３８が硬貨処理装置１の筐体３から引き出された状態を示している。金種別ホッパ３６ａ〜３６ｆが装着された着脱部３８は、例えば図２に示すガイドレール３９等にガイドされて、挿入方向と引出し方向に移動可能となっている。金種別ホッパ３６ａ〜３６ｆは、着脱部３８が引き出された後に、図２に示す取出し方向に着脱部３８から取り出される。なお、金種別ホッパ３６ａ〜３６ｆを着脱部３８に装着させる場合には、取出し方向とは逆方向である装着方向に入れることになる。
【００３２】
硬貨処理装置１においては、例えば硬貨の出金処理中（金種別ホッパ３６ａ〜３６ｆからの硬貨の繰り出し中）に、金種別ホッパ３６ａ〜３６ｆにおいて硬貨のジャムが発生することがある。かかる場合には、使用者は、金種別ホッパ３６ａ〜３６ｆを着脱部３８から取り出して、ジャムとなった硬貨を除去している。なお、詳細は後述するが、金種別ホッパ３６ａ〜３６ｆには、着脱部３８に対する着脱性を向上させるために、取っ手部が設けられている。
【００３３】
出金一時保留部４２は、金種別ホッパ３６ａ〜３６ｆから繰り出された硬貨を、金種別に一時的に集積する機能を有する。また、出金一時保留部４２は、集積した硬貨の搬送先（具体的には、出金箱５０又はリジェクト庫５４）を切り替える搬送切替部としての機能を有する。
【００３４】
出金箱５０は、出金される硬貨を収容する。出金箱５０には、出金一時保留部４２において硬貨の搬送先が出金箱５０に切り替えられた際に、出金一時保留部４２に集積された硬貨が搬送される。リジェクト庫５４は、リジェクト硬貨を収容する。リジェクト庫５４には、出金一時保留部４２において硬貨の搬送先がリジェクト庫５４に切り替えられた際に、出金一時保留部４２に集積された硬貨が搬送される。
【００３５】
制御ユニット９０は、硬貨処理装置１の全体動作を制御する。例えば、制御ユニット９０は、硬貨の入金処理や出金処理を行う際に、硬貨処理装置１の各構成要素の動作を制御する。制御ユニット９０は、上述した各構成要素の動作を制御する制御部と、制御部が実行するプログラムや各種のデータを記憶する記憶部と、を有する。
【００３６】
（１−２．金種別ホッパの詳細構成）
上述した金種別ホッパ３６ａ〜３６ｆの構成は、それぞれ同様である。そこで、図３、及び図４を参照しながら、金種別ホッパ３６ａ（以下、金種別ホッパ３６と呼ぶ）を例に挙げて、金種別ホッパ３６の構成の一例について説明する。
【００３７】
図３は、第１の実施形態に係る金種別ホッパ３６の構成の一例を示す図である。図４は、図３のＡ−Ａ矢視図である。
【００３８】
金種別ホッパ３６は、入金処理の際に硬貨を収容し、出金処理の際に収容した硬貨を繰り出す。図３に示すように、金種別ホッパ３６は、タンク部２１０と、回転ディスク２２０と、駆動部２３０と、搬送ガイド２４０と、ゲート２５０と、搬送部２５６と、異金種判別部２６０とを有する。
【００３９】
タンク部２１０は、金種別排出口２２ａから排出された硬貨Ｃを収容する。タンク部２１０は、側壁に囲まれ硬貨を収容する収容空間２１１を有する。タンク部２１０は、図３に示すように、上部に金種別排出口２２ａから排出された硬貨が通過する開口２１６を有している。タンク部２１０の下部２１２には回転ディスク２２０が設けられており、下部２１２の内周面は、回転ディスク２２０が回転可能なように、回転ディスク２２０の外周に沿った形状に形成されている。タンク部２１０の下部２１２は、硬貨を繰り出しやすいように、斜めの形状をしている。
【００４０】
回転ディスク２２０は、タンク部２１０内に水平方向に交差するように斜めに配置された円形状の部材である。回転ディスク２２０は、回転可能に軸２２１に支持され、回転することによりタンク部２１０に収容された硬貨Ｃを移動させて分離する。回転ディスク２２０には、硬貨Ｃの外形に対応した筒状の複数の貫通孔２２２（図４では４つの貫通孔２２２）が形成されている。タンク部２１０内の硬貨Ｃは、貫通孔２２２を通過する。また、回転ディスク２２０の裏面かつ貫通孔２２２の周囲には、搬送ガイド２４０に向けて突出した突起２２３が形成されている。突起２２３は、回転ディスク２２０が回転する際に、硬貨Ｃを支持しながら搬送させる。
【００４１】
回転ディスク２２０の外周面には、ギア部２２４が形成されている。ギア部２２４は、下部２１２の側面に形成された切り欠き部２１４で、駆動部２３０のモータギア２３４と噛み合っている。モータギア２３４は、モータ２３２のＤカットされたモータ軸に固定されている。モータ２３２は、互いに噛み合ったモータギア２３４とギア部２２４を介して回転駆動力を回転ディスク２２０に伝達し、回転ディスク２２０を回転させる。
【００４２】
搬送ガイド２４０は、回転ディスク２２０の下方に、回転ディスク２２０との間で硬貨を１枚搬送できる隙間を介して設けられている。搬送ガイド２４０は、回転ディスク２２０が硬貨Ｃを搬送する際のガイドとして機能する。搬送ガイド２４０も、回転ディスク２２０と同様に斜めに配置されているため、搬送される硬貨Ｃは、自重によりゲート２５０に向かって滑りやすくなる。
【００４３】
ゲート２５０は、回転ディスク２２０により搬送された硬貨Ｃを一枚ずつ送り出すための開口である。ゲート２５０の搬送方向下流部には、図４に示すように、支点ベアリング２５２と、繰り出しローラ２５４とが設けられている。繰り出しローラ２５４は、不図示の支点を中心に移動可能である。繰り出しローラ２５４は、スプリング（不図示）によって支点ベアリング２５２側に引っ張られている。この際、繰り出しローラ２５４は、移動規制部によって、支点ベアリング２５２との距離を一定に保たれている。かかる構成の繰り出しローラ２５４の移動に伴い、支点ベアリング２５２と繰り出しローラ２５４の間に挟まれる硬貨Ｃが、繰り出される。
【００４４】
搬送部２５６は、ゲート２５０から繰り出された硬貨Ｃを、出金一時保留部４２（図１）へ向けて搬送する。搬送部２５６は、例えば、硬貨Ｃを搬送する搬送ベルト（不図示）と、硬貨Ｃが搬送される搬送路２５８と、を有する。
【００４５】
異金種判別部２６０は、金種別ホッパ３６から実際に繰り出された硬貨の金種が、本来繰り出されるべき硬貨の金種と異なるか否かを判別する。異金種判別部２６０は、搬送路２５８に設けられている。異金種判別部２６０は、図４に示すように、硬貨を検出する及び光学センサ２６２、２６４及び磁気センサ２６６を含む。
【００４６】
光学センサ２６２は、硬貨の孔の有無を検出する孔検出センサであり、光学センサ２６４は、硬貨の幅（直径）を検出する幅検出センサである。磁気センサ２６６は、硬貨の材質等を検出する。かかる孔検出センサ２６２、幅検出センサ２６４、及び磁気センサ２６６の検出結果に基づいて、回転ディスク２２０により実際に繰り出された硬貨が、異金種であるかどうかを判別可能である。なお、磁気センサ２６６は、ゲート２５０から硬貨が繰り出された否かを検出する機能も有している。
【００４７】
ところで、上述したように、金種別ホッパ３６は、出金の際に硬貨を繰り出すための回転ディスク２２０や、回転ディスク２２０を回転させるための駆動部２３０を有するため、金種別ホッパ３６の形状が複雑になりやすい。着脱部３８も金種別ホッパ３６の外形形状に併せて形成されるので、金種別ホッパ３６を着脱部３８に着脱し難いという問題が発生しうる。
【００４８】
これに対して、第１の実施形態に係る金種別ホッパ３６においては、タンク部２１０を構成する一つの壁部（具体的には、側壁）に金属の取っ手部が設けられている。かかる場合には、金属の取っ手部で金種別ホッパ３６を把持することで、金種別ホッパ３６の着脱の際に着脱部３８に対する金種別ホッパ３６の位置を調整しやすい。このため、金種別ホッパ３６の着脱部３８に対する着脱性を向上させることが可能となる。
【００４９】
（タンク部２１０の取っ手部の構成）
図５及び図６を参照しながら、タンク部２１０の取っ手部２８５の構成の一例について説明する。
【００５０】
図５は、金種別ホッパ３６の外観構成の一例を示す斜視図である。図６は、第１の実施形態に係る金属側壁２８４の断面図である。
【００５１】
タンク部２１０は、図５に示すように、長方体形状となっている。このため、タンク部２１０は、硬貨の収容空間２１１（図３参照）を取り囲む４つの壁部の一例である側壁２８１、２８２、２８３、２８４を備える。本実施例における４つの側壁２８１〜２８４は、樹脂で形成された樹脂側壁２８１、２８２、２８３と、金属で形成された金属側壁２８４とで構成されている。
【００５２】
４つの側壁のうちの３つの側壁２８１〜２８３を樹脂で形成することで、タンク部２１０が複雑な形状であっても製造しやすくなる。樹脂側壁２８１〜２８３は、例えば透明な樹脂で形成されている。これにより、タンク部２１０内の硬貨の収容状態を視認しやすくなる。なお、上記に限定されず、樹脂側壁２８１〜２８３は、例えば非透明な樹脂で形成されても良い。
【００５３】
金属側壁２８４は、樹脂側壁２８１〜２８３と同じ厚さに形成されているが、樹脂側壁２８１〜２８３に比べて強度が高い。金属側壁２８４は、板金で形成されている。例えば、金属側壁２８４は、ステンレス鋼（ＳＵＳ）で形成されても良い。かかる場合には、めっきや塗装をしなくても、金属側壁２８４が錆びることを防止できる。ただし、これに限定されず、金属側壁２８４は、アルミ等の他の金属で形成されても良い。
【００５４】
金属側壁２８４には、金種別ホッパ３６の着脱の際に使用者が把持可能な取っ手部２８５が設けられている。このため、取っ手部２８５も金属で形成されている。取っ手部２８５を金属で形成することで、樹脂の場合とは異なり、取っ手部の厚みが薄くても剛性を確保できるので、取っ手部の機能を確保しやすくなる。
【００５５】
また、取っ手部２８５が設けられた金属側壁２８４は、図５に示すように、４つの側壁２８１〜２８４のうちで駆動部２３０から最も離れている。このため、取っ手部２８５を把持する際に使用者が駆動部２３０に触れることを防止できる。
【００５６】
図７は、金種別ホッパ３６の着脱の際に、使用者が金種別ホッパ３６を把持している状態を示す図である。取っ手部２８５は、金種別ホッパ３６の上部に設けられている。金種別ホッパ３６の上部に取っ手部２８５を設けることで、金種別ホッパ３６を着脱部３８（図２）へ着脱する際に、図７に示すように使用者は取っ手部２８５を持ちやすくなる。特に、図２に示すように６つの金種別ホッパ３６ａ〜３６ｆが隣接するように装着されている場合には、取っ手部２８５が金種別ホッパの上部に位置することで、金種別ホッパを取り外しやすくなる。
【００５７】
取っ手部２８５は、図５に示すように、金種別ホッパ３６の上部において、入金処理の際に硬貨が通過する開口２１６に隣接する。かかる場合には、使用者が開口２１６から指を入れて取っ手部２８５を指で把持できる（図７参照）ので、操作性が向上する。
【００５８】
取っ手部２８５は、図６に示すように、板金である金属側壁２８４を曲げて形成されている。具体的には、取っ手部２８５は、金属側壁２８４の長手方向一端側を略Ｖ字状に折り曲げて形成されている。かかる場合には、使用者は、指で取っ手部２８５を把持しやすくなる。また、折り曲げて形成することで、取っ手部２８５の剛性が更に高くなる。これにより、使用者によって把持される取っ手部２８５の変形を抑制できる。
【００５９】
上記では、取っ手部２８５が、金属側壁２８４の長手方向一端側を曲げて形成されていることとしたが、これに限定されない。例えば、取っ手部は、図８に示すように金属側壁３８４に形成された穴部であっても良い。
【００６０】
図８は、変形例に係る金属側壁３８４の構成の一例を示す模式図である。金属側壁３８４では、長手方向一端側に複数の穴部３８６が形成されている。穴部３８６の穴は、タンク部２１０に収容される硬貨の直径よりも小さい。このため、穴部３８６の穴から硬貨が漏れることを防止できる。ただし、穴部３８６の穴の径は、使用者の指が入るような大きさであることが望ましい。これにより、使用者は、穴部３８６の穴に指を入れて、金種別ホッパ３６を把持することができる。穴部３８６を取っ手部にした場合には、板金を折り曲げて取っ手部にする場合に比べて、スペースの制約を受けない。
【００６１】
上記では、タンク部２１０は、長方体形状であり、４つの側壁２８１〜２８４を有することとしたが、これに限定されない。例えば、タンク部２１０は、四角柱形状であり、３つ又は５つの側壁を有することとしても良い。
【００６２】
また、上記では、タンク部２１０は、一つの金属側壁２８４を有することとしたが、これに限定されない。例えば、タンク部２１０は、二つの金属側壁を有し、二つの金属側壁の少なくともいずれか一方に取っ手部２８５を設けても良い。
【００６３】
また、上記では、取っ手部２８５がタンク部２１０の壁部の一つである側壁に設けられていることとしたが、これに限定されない。例えば、取っ手部２８５は、タンク部２１０の上壁に設けられても良い。
【００６４】
（１−３．硬貨処理装置の動作）
次に、第１の実施形態に係る硬貨の入金処理及び出金処理を行う際の硬貨処理装置１の動作例について説明する。硬貨の入金処理及び出金処理を行う際の硬貨処理装置１の動作は、制御ユニット９０の制御部が、記憶部に記憶されたプログラムを実行することで、実現される。以下では、入金処理時の硬貨処理装置１の動作を説明した後に、出金処理時の硬貨処理装置１の動作を説明する。
【００６５】
（入金処理時の動作）
図１を参照しながら、入金処理時の硬貨処理装置１の動作の一例について説明する。なお、詳細な説明は省くが、硬貨処理装置１は、計数処理時も入金処理時と同様な動作を行う。
【００６６】
使用者が硬貨受領部１０に硬貨Ｃを投入すると、投入された硬貨Ｃは硬貨繰り出し部１２に落下する。制御ユニット９０は、硬貨繰り出し部１２により、落下した硬貨Ｃを一枚ずつ分離して硬貨認識部１４に繰り出させる。次に、制御ユニット９０は、硬貨認識部１４により繰り出された硬貨Ｃの真偽、金種等を判別し、判別した硬貨Ｃを選別搬送路２０へ搬送させる。
【００６７】
制御ユニット９０は、硬貨認識部１４により真貨で無いと判別された硬貨Ｃを、選別搬送路２０のリジェクト口２１から開口２１６（図３）を介してリジェクト硬貨収容部２６へ落下させる。一方で、制御ユニット９０は、真貨であると判別された硬貨Ｃを、金種別の金種別排出口２２ａ〜２２ｆから金種別ホッパ３６ａ〜３６ｆへ落下させる。これにより、金種別ホッパ３６ａ〜３６ｆへの硬貨の入金処理が完了する。
【００６８】
（出金処理時の動作）
図１を参照しながら、出金処理時の硬貨処理装置１の動作の一例について説明する。出金処理は、上述した入金処理により金種別ホッパ３６ａ〜３６ｆに硬貨が金種別に収容されているところから開始される。
【００６９】
出金処理として、まず、使用者が、表示部に表示される出金画面で、金種毎の硬貨の出金枚数を入力すると、制御ユニット９０は、金種別ホッパ３６ａ〜３６ｆに設けられた繰り出し部により、該当する金種の硬貨を繰り出させる。繰り出された硬貨Ｃは、出金一時保留部４２に落下して集積される。
【００７０】
この際、金種別ホッパ３６ａ〜３６ｆに設けられた異金種判別部２６０（図３）が、金種別ホッパ３６ａ〜３６ｆから実際に繰り出された硬貨の金種が本来繰り出されるべき硬貨の金種と異なるか否かを判別する。例えば、金種別ホッパ３６ａ〜３６ｆに係員等が誤って異金種の硬貨を入れてしまった場合に、異金種判別部２６０は、金種別ホッパ３６ａ〜３６ｆから当該硬貨の繰り出しを検出することで異金種であると判別する。
【００７１】
所定の出金枚数の硬貨が繰り出されて、異金種判別部２６０により異金種の硬貨が検出されなかった場合には、制御ユニット９０は、出金一時保留部４２に集積された硬貨の搬送先を、出金箱５０に切り替える。そして、制御ユニット９０は、出金一時保留部４２の硬貨を出金箱５０へ落下させて収容させる。
【００７２】
一方で、異金種判別部２６０によって、所定の出金枚数だけ繰り出された硬貨の中に異金種の硬貨が検出された場合には、制御ユニット９０は、出金一時保留部４２に集積された硬貨の搬送先を、リジェクト庫５４に切り替える。そして、制御ユニット９０は、出金一時保留部４２の硬貨をリジェクト庫５４へ落下させて収容させる。
【００７３】
ところで、出金処理の際に金種別ホッパ（ここでは、金種別ホッパ３６ａを例に挙げて説明する）で硬貨のジャムが発生した場合には、制御ユニット９０は、硬貨の繰り出しを停止させる。その後、制御ユニット９０は、表示画面等で使用者にジャムとなった硬貨の除去を促す表示を行う。
【００７４】
表示等を見た使用者は、着脱部３８を筐体３に対して引出し方向に引き出して（図２参照）、着脱部３８に装着された金種別ホッパ３６ａを取出し方向に取り出す。この際、前述したようにタンク部２１０の金属側壁２８４に取っ手部２８５が設けられているため、使用者は、取っ手部２８５を把持して金種別ホッパ３６ａの位置を調整しながら取り出すことになる。
【００７５】
使用者は、取り出した金種別ホッパ３６ａにおいてジャムとなった硬貨を除去した後に、金種別ホッパ３６ａを着脱部３８に再度装着する。この際も、使用者は、金属側壁２８４に設けられた取っ手部２８５を把持して、金種別ホッパ３６ａの位置を調整しながら着脱部３８に装着させることになる。
【００７６】
上記のように、使用者は、金属の取っ手部２８５を把持して金種別ホッパ３６ａ〜３６ｆを着脱部３８に対して位置を微調整しながら着脱できるので、金種別ホッパ３６ａ〜３６ｆの着脱性を向上させることが可能となる。
【００７７】
なお、上記では、出金処理において硬貨のジャムが発生した際に金種別ホッパ３６ａ〜３６ｆを着脱させることとしたが、これに限定されない。例えば、着脱部３８に装着された金種別ホッパを交換する際にも、使用者は、取っ手部２８５を把持して金種別ホッパを着脱部３８に対して着脱する。
【００７８】
＜２．第２の実施形態＞
図９及び図１０を参照しながら、第２の実施形態に係る金種別ホッパ３６の構成について説明する。
【００７９】
図９は、第２の実施形態に係る金種別ホッパ３６の構成の一例を示す斜視図である。図１０は、図９の部分Ｂを拡大した図である。
【００８０】
図９及び図１０に示すように、第２の実施形態に係る金種別ホッパ３６も、第１の実施形態と同様に、タンク部２１０の金属側壁２８４に取っ手部２８５が設けられている。これにより、金種別ホッパ３６の形状が複雑であっても、取っ手部２８５で金種別ホッパ３６を把持できるので、金種別ホッパ３６の着脱部３８に対する着脱性を向上させることが可能となる。
【００８１】
第２の実施形態において、金属側壁２８４には、図９及び図１０に示すように、金種別ホッパ３６が装着された着脱部３８の挿入方向（図２参照）において樹脂側壁２８１~２８３よりも突出するように形成された突出部２８６が設けられている。この突出部２８６は、樹脂側壁２８３の面よりも挿入方向側に突出した形状となっている。かかる場合には、金種別ホッパ３６が着脱部３８に適切に装着されていない状態で着脱部３８を挿入方向に移動させた際に、突出部２８６が筐体３に接触することになる。突出部２８６以外の金種別ホッパ３６の構成は、第１の実施形態と同様であるので、詳細な説明は省略する。
【００８２】
図１１は、金種別ホッパ３６ｄが着脱部３８から飛び出た状態で、着脱部３８を筐体３へ挿入した際の状態を示す図である。ここでは、６つの金種別ホッパ３６ａ〜３６ｆのうち金種別ホッパ３６ｄが着脱部３８が飛び出ているものとする。かかる状態で着脱部３８を筐体３に対して挿入方向へ挿入する際に、金種別ホッパ３６ｄの樹脂壁部２８３よりも挿入方向側に突出している突出部２８６が筐体３に接触する。これにより、樹脂側壁２８３が筐体３に衝突して損傷することを防止できる。なお、突出部２８６は金属であるので、筐体３に衝突しても損傷する恐れが無い。
【００８３】
突出部２８６は、図９及び図１０に示すように、取っ手部２８５から挿入方向に延出するように形成されている。かかる場合には、取っ手部２８５と突出部２８６を一緒に形成できるので、金種別ホッパ３６を製造しやすくなる。また、突出部２８６の突出量は、隣接する他の金種別ホッパ３６に接触しない程度に設定することが望ましい。これにより、限られたスペースの中で、樹脂側壁２８３が筐体３に衝突して損傷することを防止できる。
【００８４】
＜３．第３の実施形態＞
図１２及び図１３を参照しながら、第３の実施形態に係る金種別ホッパ３６の構成について説明する。
【００８５】
図１２は、第３の実施形態に係る金種別ホッパ３６の構成の一例を示す図である。図１３は、図１２のＣ−Ｃ断面図である。
【００８６】
図１２及び図１３に示すように、第３の実施形態に係る金種別ホッパ３６の金属側壁２８４のタンク部２１０の収容空間２１１に臨む面２８４ａには、凸部２８７が形成されている。第３の実施形態において、凸部２８７以外の金種別ホッパ３６の構成は、第２の実施形態と同様である。以下では、凸部２８７の構成を中心に説明する。
【００８７】
凸部２８７は、図１３に示すように、金属側壁２８４の収容空間２１１に臨む面２８４ａから突出するように形成されている。凸部２８７は、面２８４ａに複数設けられており、隣接する凸部２８７の間に隙間はほとんど無い。また、凸部２８７は、ここでは６角形の形状を成しているが、これに限定されず、４角形等の多角形であっても良い。これにより、多数の凸部２８７を隣接させながら形成することができる。
【００８８】
金属側壁２８４の収容空間２１１に臨む面２８４ａが全面平らである場合には、金処理の際に金種別排出口２２ａ〜２２ｆから落下した硬貨が、面２８４ａに張り付きやすい。特に、硬貨が濡れている場合には、面２８４ａに張り付きやすい。かかる場合には、出金処理の際に硬貨が繰り出されない恐れがある。
【００８９】
これに対して、第３の実施形態のように凸部２８７を設けることで、硬貨が面２８４ａに接触する接触面積を小さくできるので、硬貨が面２８４ａに張り付くことを防止できる。この結果、出金処理の際に硬貨が適切に繰り出される。
【００９０】
なお、樹脂側壁２８１〜２８３も、硬貨の接触面積を小さくするような表面形状（例えば、凸）を有しても良い。かかる場合には、タンク部２１０の側壁に硬貨が張り付くことを有効に防止できる。
【００９１】
＜４．まとめ＞
上述した硬貨処理装置１の金種別ホッパ３６において、図５に示すように、硬貨を収容する収容空間２１１を囲む複数の壁部は、樹脂で形成された樹脂側壁２８１〜２８３と、金属で形成された金属側壁２８４とで構成されている。そして、金属側壁２８４には、取っ手部２８５が設けられている。
【００９２】
かかる場合には、使用者は、金属の取っ手部２８５で金種別ホッパ３６を把持することで、金種別ホッパ３６の着脱の際に着脱部３８に対する金種別ホッパ３６の位置を調整しやすい。このため、金種別ホッパ３６の着脱部３８に対する着脱性を向上させることが可能となる。
【００９３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００９４】
１      硬貨処理装置
３６    金種別ホッパ
３８    着脱部
２１０    タンク部
２１１    収容空間
２１６    開口
２２０    回転ディスク
２３０    駆動部
２８１、２８２、２８３    樹脂側壁
２８４    金属側壁
２８４ａ    面
２８５    取っ手部
２８６    突出部
２８７    凸部
３８４    金属側壁
３８６    穴部
【図１】
2015125517.tif 000003
【図２】
2015125517.tif 000004
【図３】
2015125517.tif 000005
【図４】
2015125517.tif 000006
【図５】
2015125517.tif 000007
【図６】
2015125517.tif 000008
【図７】
2015125517.tif 000009
【図８】
2015125517.tif 000010
【図９】
2015125517.tif 000011
【図１０】
2015125517.tif 000012
【図１１】
2015125517.tif 000013
【図１２】
2015125517.tif 000014
【図１３】
2015125517.tif 000015